(57)【要約】【課題】レコーダにおいて、録画漏れを防ぎ、録画した映像コンテンツの再生操作を簡単にする。【解決手段】レコーダ２Ａの制御回路は、録画対象の映像コンテンツを全て自機のハードディスクに記録できるか否かを判別し、記録できないときには代理録画を他のレコーダ２Ｂに要求する。上記制御回路は、レコーダ２Ｂに代理録画を要求した映像コンテンツと自機に記録された映像コンテンツの録画タイトルリストをＴＶ受像機３に表示させ、代理録画された映像コンテンツが選択されたとき、その映像コンテンツの再生をレコーダ２Ｂに要求する。これにより、レコーダ２Ａで録画対象の映像コンテンツを全て録画することができない場合であっても、録画漏れを防ぐことができる。また、他のレコーダ２Ｂに代理録画させた映像コンテンツの再生時には、ＴＶ受像機３に表示される録画タイトルリストの中から、その映像コンテンツを選択するだけで再生できる。【選択図】図１
2012175398.tif 000002
【特許請求の範囲】
【請求項１】
映像コンテンツを記録媒体に記録するコンテンツ録画手段と、
他の録画装置と通信可能な通信手段と、を備えた録画装置において、
前記コンテンツ録画手段により、録画対象の映像コンテンツを全て前記記録媒体に記録できるか否かを判別する録画状況判別手段と、
前記録画状況判別手段により、録画対象の映像コンテンツを全て前記記録媒体に記録することができないと判別されたとき、該映像コンテンツの代理録画を要求するメッセージを前記通信手段を介して他の録画装置に送信する代理録画要求手段と、
前記代理録画要求手段により他の録画装置に代理録画を要求した映像コンテンツと、前記記録媒体に記録された映像コンテンツとのリストを、前記録画装置に接続された表示手段に表示させる表示制御手段と、
前記表示制御手段により前記表示手段に表示されたリストの中から再生対象の映像コンテンツを選択するための選択手段と、
前記選択手段により、他の録画装置に代理録画を要求した映像コンテンツが選択されたとき、その選択された映像コンテンツの再生を要求するメッセージを前記通信手段を介して該他の録画装置に送信する再生要求手段と、を備えることを特徴とする録画装置。
【請求項２】
前記リストは、映像コンテンツのタイトルを含むことを特徴とする請求項１に記載の録画装置。
【請求項３】
前記表示制御手段は、
前記選択手段により、前記記録媒体に記録された映像コンテンツが選択されたとき、その選択された映像コンテンツを前記表示手段に入力して表示させ、
前記選択手段により、他の録画装置に代理録画を要求した映像コンテンツが選択されたとき、前記表示手段への映像コンテンツの入力元を該他の録画装置に切り替えることを特徴とする請求項１又は請求項２に記載の録画装置。
【発明の詳細な説明】
【技術分野】
【０００１】
本発明は、映像コンテンツを記録媒体に記録する録画装置に関する。
【背景技術】
【０００２】
従来から、複数の録画装置とテレビジョン受像機（以下、ＴＶ受像機という）とが、ＨＤＭＩ規格に準拠したインタフェースにより通信可能に構成された録画再生システムが知られている（例えば、特許文献１参照）。この録画再生システムでは、複数の録画装置のうち、操作対象である録画装置が、記録媒体の残容量不足が原因で、録画したい映像コンテンツの録画処理を自機で完了することができないとき、その録画装置が、上記インタフェースを用い、ＴＶ受像機経由で他の録画装置に代理録画を自動的に依頼し、他の録画装置と録画を分担する。上記操作対象の録画装置は、自機に対して再生操作がなされると、まず、自機で録画した映像コンテンツを再生し、その後、録画を分担した他の録画装置に映像コンテンツの続き部分を再生するよう所定のタイミングで自動的に指示し、その指示を受けた録画装置は、映像コンテンツの続き部分を再生する。
【０００３】
この録画再生システムにおいては、操作対象である録画装置の記録媒体の残容量が不足していたとしても、映像コンテンツは複数の録画装置によって分担して録画されるので、録画漏れを防ぐことができる。また、再生時には、上記操作対象の録画装置に再生の操作をするだけで、複数の録画装置によって分割記録された映像コンテンツが自動的に連続して再生されるので、再生操作が簡単で済む。
【０００４】
ところで、上記録画再生システムでは、録画が、操作対象の録画装置と他の録画装置とで分担されるが、上記のような代理録画の他の方法としては、録画したい映像コンテンツを全て他の録画装置に代理録画させることが考えられる。
【０００５】
しかしながら、そのような方法で代理録画がなされた場合、ユーザは、映像再生の際に、映像コンテンツがいずれの録画装置に記録されているのかを調べて、その録画装置の操作手段でもって再生操作を行う必要があり、手間が掛かる、という問題が生じる。
【０００６】
なお、代理録画が可能な上記とは別の録画再生システムとしては、ＴＶ受像機が、自機に接続された複数の録画装置の空き容量又は録画予約状況を確認し、録画可能な録画装置を検索して、その録画装置に録画予約を行う録画再生システムが知られている（例えば、特許文献２及び特許文献３参照）。
【０００７】
また、録画装置を備えた複数のＴＶ受像機がネットワークに接続された録画再生システムにおいて、それらＴＶ受像機のうちの１台が、自機の録画装置の残容量に応じて、録画予約された映像コンテンツを全て録画できるかどうかを判定し、録画できない場合に他のＴＶ受像機の録画装置に代行録画を指示するものが知られている（特許文献４参照）。
【０００８】
また、複数の録画予定共有装置がネットワークに接続された録画予定共有システムにおいて、それら録画予定共有装置のうちの１つのユーザが他の録画予定共有装置の録画予定状況を知って、この情報を基に代理録画を他の録画予定共有装置に依頼できるようにしたものが知られている（例えば、特許文献５参照）。
【０００９】
しかしながら、特許文献２乃至特許文献５に記載のような録画再生システム及び録画予定共有システムにおいては、上記の問題を解決することは困難である。
【先行技術文献】
【特許文献】
【００１０】
【特許文献１】特開２００８‐２６３２９６号公報
【特許文献２】特開２００８‐２２８１０４号公報
【特許文献３】特開２００８‐０６７０２５号公報
【特許文献４】特開２００７‐０４９５３８号公報
【特許文献５】再表２００６／１２３４００号公報
【発明の概要】
【発明が解決しようとする課題】
【００１１】
本発明は、上記の従来の問題を解決するためになされたものであり、録画対象の映像コンテンツの録画漏れを防ぐことができ、しかも、録画した映像コンテンツの再生操作を簡単化することができる録画装置を提供することを目的とする。
【課題を解決するための手段】
【００１２】
上記目的を達成するために本発明の録画装置は、映像コンテンツを記録媒体に記録するコンテンツ録画手段と、他の録画装置と通信可能な通信手段と、を備えた録画装置において、前記コンテンツ録画手段により、録画対象の映像コンテンツを全て前記記録媒体に記録できるか否かを判別する録画状況判別手段と、前記録画状況判別手段により、録画対象の映像コンテンツを全て前記記録媒体に記録することができないと判別されたとき、該映像コンテンツの代理録画を要求するメッセージを前記通信手段を介して他の録画装置に送信する代理録画要求手段と、前記代理録画要求手段により他の録画装置に代理録画を要求した映像コンテンツと、前記記録媒体に記録された映像コンテンツとのリストを、前記録画装置に接続された表示手段に表示させる表示制御手段と、前記表示制御手段により前記表示手段に表示されたリストの中から再生対象の映像コンテンツを選択するための選択手段と、前記選択手段により、他の録画装置に代理録画を要求した映像コンテンツが選択されたとき、その選択された映像コンテンツの再生を要求するメッセージを前記通信手段を介して該他の録画装置に送信する再生要求手段と、を備えることを特徴とする。
【００１３】
この発明において、前記リストは、映像コンテンツのタイトルを含むことが望ましい。
【００１４】
この発明において、前記表示制御手段は、前記選択手段により、前記記録媒体に記録された映像コンテンツが選択されたとき、その選択された映像コンテンツを前記表示手段に入力して表示させ、前記選択手段により、他の録画装置に代理録画を要求した映像コンテンツが選択されたとき、前記表示手段への映像コンテンツの入力元を該他の録画装置に切り替えることが望ましい。
【発明の効果】
【００１５】
本発明によれば、例えば録画対象の映像コンテンツの情報量が記録媒体の残りの記録容量よりも多いといった理由で、その映像コンテンツを全て記録媒体に記録することができない場合、他の録画装置に映像コンテンツの代理録画が要求されるので、録画漏れを防ぐことができる。また、他の録画装置に代理録画させた映像コンテンツを再生する場合、表示手段に表示されるリストの中から、その映像コンテンツを選択するだけで再生することができるので、再生操作に手間が掛からず、操作が簡単になる。
【図面の簡単な説明】
【００１６】
【図１】本発明の一実施形態に係るハードディスクレコーダを備えた録画再生システムの構成を示す図。
【図２】上記録画再生システムの電気的ブロック図。
【図３】上記ハードディスクレコーダの代理録画要求処理のフローチャート。
【図４】上記ハードディスクレコーダの映像再生制御処理のフローチャート。
【図５】上記録画再生システムのテレビジョン受像機に表示される録画タイトルリストを示す図。
【発明を実施するための形態】
【００１７】
本発明の一実施形態に係るハードディスクレコーダ（以下、レコーダという）を備えた録画再生システムについて図面を参照して説明する。図１は、その録画再生システムの構成を示す。この録画再生システム１は、映像コンテンツを録画し再生する本実施形態の複数台（例えば２台）のレコーダ２（録画装置）と、レコーダ２に接続され、レコーダ２により再生される映像コンテンツを表示するテレビジョン受像機（以下、ＴＶ受像機という）３（表示手段）とを備える。各レコーダ２とＴＶ受像機３とは、ＨＤＭＩ（High Definition Multimedia Interface）規格に準拠した通信方式を採用しており、各レコーダ２はそれぞれ、ＨＤＭＩケーブル４によりＴＶ受像機３と接続されている。
【００１８】
各レコーダ２は、デジタルテレビジョン放送信号（以下、放送信号という）を受信し、放送番組の映像コンテンツを録画することが可能である。上記複数台のレコーダ２のうち、操作対象であるレコーダ２Ａは、録画対象の映像コンテンツを全て、内蔵のハードディスクに記録することができないとき、他のレコーダ２Ｂ（他の録画装置）に映像コンテンツの代理録画を要求する。他のレコーダ２Ｂは、レコーダ２Ａからの指示に基づき、その映像コンテンツを代理録画する。各レコーダ２は、レコーダ２を操作するためのリモートコントローラ（以下、リモコンという）２０を有する。リモコン２０は、複数台のレコーダ２のうち、１台だけに設けられていてもよい。
【００１９】
図２は、レコーダ２の電気的構成を示す。同図には、レコーダ２Ａについてのみ詳細な構成が示されているが、レコーダ２Ｂはレコーダ２Ａと同じ構成であってもよいし、レコーダ２Ａは代理録画を要求する装置として、レコーダ２Ｂは代理録画を要求される装置として、相互に異なる構成を有していても構わない。
【００２０】
レコーダ２Ａは、上記のリモコン２０に加え、放送信号をアンテナ２１を介して受信し、受信チャンネルを選局するチューナ２２と、チューナ２２により選局された受信チャンネルの放送信号から放送番組の映像コンテンツを取得する映像処理回路２３と、映像処理回路２３により取得された映像コンテンツが記録されるハードディスク２４ａ（記録媒体）を内蔵し、このハードディスク２４ａに対して映像コンテンツ等のデータの読み書きを行うハードディスクドライブ（以下、ＨＤＤという）２４（コンテンツ録画手段）とを備える。
【００２１】
リモコン２０は、各種設定のためのキー２０ａを有しており、このキー２０ａの操作により、チューナ２２の受信チャンネルの選局、放送番組の映像コンテンツの録画、及び録画した映像コンテンツの再生等の設定が可能であり、設定内容に対応した操作信号を無線送信する。
【００２２】
映像処理回路２３は、放送信号を復調し、その復調された放送信号から映像コンテンツを分離して取得する。ＨＤＤ２４は、映像処理回路２３により取得された映像コンテンツをハードディスク２４ａに記録する。また、ＨＤＤ２４は、ハードディスク２４ａに記録された映像コンテンツを読み出し、映像処理回路２３は、その読み出された映像コンテンツをデコードし、再生する。
【００２３】
また、レコーダ２Ａは、ＴＶ受像機３及び他のレコーダ２Ｂと通信可能な通信回路２５と、ＨＤＭＩ端子２６とを備える。通信回路２５は、ＨＤＭＩ規格に準拠しており、ＨＤＭＩ端子２６に接続されるＨＤＭＩケーブル４を介してＴＶ受像機３と通信することも、ＴＶ受像機３経由で他のレコーダ２Ｂと通信することも可能である。映像処理回路２３は、通信回路２５を用い、映像コンテンツをリアルタイムでＴＶ受像機３に送信するか、又はＨＤＤ２４に一旦記録され、その後に再生された映像コンテンツをＴＶ受像機３に送信する。
【００２４】
さらに、レコーダ２Ａは、リモコン２０から無線送信される各種操作信号を受信するリモコン信号受信回路２７と、リモコン信号受信回路２７により受信された各種操作信号に基づき、レコーダ２Ａの各部の動作を制御する制御回路２８とを備える。制御回路２８は、例えば、チューナ２２の選局動作、映像処理回路２３による映像コンテンツの記録／再生、及び通信回路２５の送信動作を制御する。
【００２５】
制御回路２８は、録画状況を判別する録画状況判別回路２８ａ（録画状況判別手段）と、その判別結果に応じて他のレコーダ２Ｂに代理録画を要求する代理録画要求回路２８ｂ（代理録画要求手段）とを有する。また、制御回路２８は、他のレコーダ２Ｂに代理録画された映像コンテンツとハードディスク２４ａに録画された映像コンテンツとの録画タイトルリストをＴＶ受像機３に表示させる表示制御回路２８ｃ（表示制御手段）を有する。表示制御回路２８ｃは、映像処理回路２３が録画タイトルリストをＴＶ受像機３に表示するように映像処理回路２３を制御する。リモコン２０は、表示制御回路２８ｃによりＴＶ受像機３に表示された録画タイトルリストの中から、キー２０ａ（選択手段）の操作に基づいて再生対象の映像コンテンツを選択することが可能である。さらに、制御回路２８は、上記録画タイトルリストの中から、代理録画された映像コンテンツが再生対象として選択されたとき、その映像コンテンツの再生を他のレコーダ２Ｂに要求する再生要求回路２８ｄ（再生要求手段）を有する。
【００２６】
制御回路２８による代理録画要求処理の詳細について、図２に加え、図３を参照して説明する。図３は、その代理録画要求処理の手順を示す。録画状況判別回路２８ａは、リモコン２０により録画予約がなされたとき（Ｓ１０でＹｅｓ）、映像処理回路２３により、録画対象の映像コンテンツを全てハードディスク２４ａに記録できるか否かを判別する。録画状況判別回路２８ａは、録画対象の映像コンテンツのデータサイズを算出し、その算出されたデータサイズがハードディスク２４ａの残容量よりも多いときに、映像コンテンツを全てハードディスク２４ａに記録することは不可であると判別する。映像コンテンツのデータサイズは、例えば、映像コンテンツの解像度から単位時間当たりのデータサイズを求め、そのデータサイズに、映像コンテンツの時間を乗じて算出される。映像コンテンツの時間は、電子番組表から求められる。録画状況判別回路２８ａは、ＨＤＤ２４の故障を検知し、その検知結果に基づいて、代理録画の要否の判別を行ってもよい。代理録画の要否の判別は、録画開始前になされてもよいし、録画中に実施されてもよい。
【００２７】
録画状況判別回路２８ａにより、録画対象の映像コンテンツを全てハードディスク２４ａ内のハードディスク２４ａに記録することができないと判別されたとき（Ｓ１１でＮｏ）、代理録画要求回路２８ｂは、その映像コンテンツの代理録画を要求する代理録画要求メッセージを通信回路２５を介して他のレコーダ２Ｂに送信する（Ｓ１２）。録画開始前に、代理録画の要否が判別され、代理録画が要求されることになった場合、代理録画要求回路２８ｂは、録画対象の映像コンテンツの全てについて代理録画を他のレコーダ２Ｂに要求してもよいし、又は上記映像コンテンツのうち、自機が担当する部分以外の残りの部分を他のレコーダ２Ｂに代理録画させてもよい。代理録画要求回路２８ｂは、ＨＤＭＩ−ＣＥＣ（Consumer Electronics Control）機能等を用いて、代理録画要求メッセージを送信する。
【００２８】
代理録画要求メッセージに対する応答として、他のレコーダ２Ｂから代理録画可能通知が送信され、通信回路２５がその代理録画可能通知を受信したとき（Ｓ１３でＹｅｓ）、表示制御回路２８ｃは、代理録画を行うことを知らせるメッセージをＴＶ受像機３に表示させ、代理録画についてユーザに通知する（Ｓ１４）。
【００２９】
他方、代理録画要求メッセージの送信後、所定期間を経過しても、通信回路２５が代理可能通知をレコーダ２Ｂから受け取らなかった場合（Ｓ１３でＮｏ）、表示制御回路２８ｃは、録画できないことを、メッセージとしてＴＶ受像機３に表示させることにより、ユーザに通知する（Ｓ１５）。
【００３０】
次に、制御回路２８による映像再生制御処理の詳細について図２に加えて、図４を参照して説明する。図４は、その映像再生制御処理の手順を示す。ここで、ＴＶ受像機３において、映像コンテンツの入力元がレコーダ２Ａに設定されているとする。
【００３１】
リモコン２０により、録画タイトルリストを表示するように操作されたとき（Ｓ２０でＹｅｓ）、表示制御回路２８ｃは、図５に示すような録画タイトルリストＬ１をＴＶ受像機３に表示させる（Ｓ２１）。この録画タイトルリストＬ１は、代理録画要求回路２８ｂにより他のレコーダ２Ｂに代理録画を要求した映像コンテンツのタイトルと、自機のハードディスク２４ａに記録された映像コンテンツのタイトルとを含むリストである。表示制御回路２８ｃは、録画タイトルリストＬ１の中で、他のレコーダ２Ｂに代理録画を要求した映像コンテンツと、自機のハードディスク２４ａに記録した映像コンテンツとを異なる態様で表示させてもよい。例えば、図示のように、代理録画された映像コンテンツの欄には区別のためのマークＭ１を表示するか、又は映像コンテンツが代理録画されたものであるか若しくは自機のハードディスク２４ａに録画されたものであるかに応じて、その映像コンテンツのタイトルの文字色又は背景色を互いに異ならせてもよい。
【００３２】
リモコン２０のキー２０ａの操作により、録画タイトルリストＬ１の中から、他のレコーダ２Ｂに代理録画を要求した映像コンテンツが選択されたとき（Ｓ２２でＹｅｓ）、再生要求回路２８ｄは、その選択された映像コンテンツの再生を要求する再生要求メッセージを通信回路２５を介してレコーダ２Ｂに送信する（Ｓ２３）。
【００３３】
再生要求メッセージに対する応答として、他のレコーダ２Ｂから再生可能通知が送信され、通信回路２５がその再生可能通知を受信したとき（Ｓ２４でＹｅｓ）、表示制御回路２８ｃは、ＴＶ受像機３への映像コンテンツの入力元を他のレコーダ２Ｂに切り替える（Ｓ２５）。表示制御回路２８ｃは、そのような切替えを指示する制御信号をＴＶ受像機３に送信することにより切替えを行う。
【００３４】
再生要求メッセージの送信後、所定期間を経過しても、通信回路２５が再生可能通知を他のレコーダ２Ｂから受け取らなかった場合（Ｓ２４でＮｏ）、表示制御回路２８ｃは、再生不可であることを、メッセージとしてＴＶ受像機３に表示させることにより、ユーザに通知する（Ｓ２６）。
【００３５】
録画タイトルリストＬ１の中から、自機のハードディスク２４ａに記録された映像コンテンツが選択された場合（Ｓ２２でＮｏ）、表示制御回路２８ｃは、映像処理回路２３に対してその選択された映像コンテンツの再生を指示し、これにより、その映像コンテンツをＴＶ受像機３に入力して表示させる（Ｓ２７）。
【００３６】
本実施形態のレコーダ２Ａにおいては、録画対象の映像コンテンツのデータサイズがハードディスク２４ａの残りの記録容量よりも多いといった理由で、レコーダ２Ａでその映像コンテンツを全てハードディスク２４ａに記録することができない場合であっても、他のレコーダ２Ｂに映像コンテンツの代理録画が要求されるので、録画漏れを防ぐことができる。また、他のレコーダ２Ｂに代理録画させた映像コンテンツを再生する場合、ＴＶ受像機３に表示される録画タイトルリストＬ１の中から、その映像コンテンツを選択するだけで再生することができるので、再生操作に手間が掛からず、操作が簡単になる。
【００３７】
また、他のレコーダ２Ｂに代理録画を要求した映像コンテンツがリモコン２０により再生対象に選択されたとき、ＴＶ受像機３への映像コンテンツの入力元が他のレコーダ２Ｂに自動的に切り替わるので、切替え操作を手動で行わなくて済む。
【００３８】
なお、本発明は、上記の実施形態の構成に限定されるものでなく、使用目的に応じ、様々な変形が可能である。例えば、ＴＶ受像機３の代わりに、放送信号の受信機能を持たないディスプレイ装置が設けられていても構わない。
【００３９】
また、映像コンテンツの録画をレコーダ２Ａとレコーダ２Ｂとで分担する場合、レコーダ２Ａで録画する最後の所定時間分の映像コンテンツをレコーダ２Ｂでも二重録画し、再生時には、その所定時間分の映像コンテンツをレコーダ２Ａからもレコーダ２ＢからもＴＶ受像機３に入力して二重に表示させてもよい。この録画方法により、入力切替え時の表示映像の乱れを抑えることができる。
【００４０】
また、映像コンテンツの録画をレコーダ２Ａとレコーダ２Ｂとで分担した場合の再生時において、レコーダ２Ａは、映像コンテンツの残り再生時間が所定時間以下になったとき、レコーダ２Ｂに再生準備を指示し、レコーダ２Ｂを再生一時停止状態にさせ、その後、映像コンテンツの入力元をレコーダ２Ａからレコーダ２Ｂに切り替え、レコーダ２Ｂの再生一時停止状態を解除してもよい。これにより、入力切替えがスムーズになり、入力切替え時の表示映像の乱れを抑制することができる。
【符号の説明】
【００４１】
２  ハードディスクレコーダ（録画装置）
２Ａ  操作対象のハードディスクレコーダ
２Ｂ  他のハードディスクレコーダ（他の録画装置）
２０  リモコン
２０ａ  キー（選択手段）
２３  映像処理回路
２４  ＨＤＤ（コンテンツ録画手段）
２４ａ  ハードディスク（記録媒体）
２５  通信回路（通信手段）
２８ａ  録画状況判別回路（録画状況判別手段）
２８ｂ  代理録画要求回路（代理録画要求手段）
２８ｃ  表示制御回路（表示制御手段）
２８ｄ  再生要求回路（再生要求手段）
【図１】
2012175398.tif 000003
【図２】
2012175398.tif 000004
【図３】
2012175398.tif 000005
【図４】
2012175398.tif 000006
【図５】
2012175398.tif 000007